(57)【要約】【課題】机や棚等の身近な場所に設置することにより、過去の記録を整理して追記的且つ永続的に記録することができ、日毎にめくることによって、日毎に記録した過去の出来事を目視で確認することができる追記型日めくりメモリを提供する。【解決手段】台紙と表紙と複数の記録ページとを有し、台紙は中折れ自在に形成した底面部を介して前面部と後面部とを折曲げ自在に形成すると共に、台紙と表紙と各記録ページの上辺に沿って形成した複数の穴部に綴り部材を装着し、各記録ページをめくることによって任意の記録ページを表示することができ、各記録ページの表面と裏面とには、少なくとも１日から３１日までの日付けを示す連続数字と、既成の任意の出来事を日別に印刷する欄と、使用者が任意に記録を追記する欄とを設け、立設した台紙の前面部側の記録ページと後面部側の記録ページとを前後に反転して表示することを可能とした。【選択図】図１
0003172420.tif 000002
【実用新案登録請求の範囲】
【請求項１】
台紙と表紙と複数の記録ページとを有し、台紙は中折れ自在に形成した底面部を介して前面部と後面部とを折曲げ自在に形成すると共に、台紙と表紙と各記録ページの上辺に沿って形成した複数の穴部に綴り部材を装着し、
台紙の底面部の中折れ形状を展開することによって台紙を立設した状態にして傾斜した前面部と後面部のいずれかの面上に表紙と記録ページを支持すると共に、各記録ページをめくることによって任意の記録ページを表示することができ、
各記録ページの表面と裏面とには、少なくとも１日から３１日までの日付けを示す連続数字と、既成の任意の出来事を日別に印刷する欄と、使用者が任意に記録を追記する欄とを設け、立設した台紙の前面部側の記録ページと後面部側の記録ページとを前後に反転して表示することを可能としたことを特徴とする追記型日めくりメモリ。
【考案の詳細な説明】
【技術分野】
【０００１】
本考案は、立設状態で表示をすることができ、日毎に記載された各種記念日等に併せて、個人の出来事を追記した記録を日めくりで日毎に表示することができる追記型日めくりメモリに関する。
【背景技術】
【０００２】
従来から、個人、家族、或は任意の団体等における過去の出来事を記録する方法として、日記、過去帳、記録簿等の様々な形態が存在し、広く利用されている。
【０００３】
このような記録形態において、例えば、家族の過去の出来事を記録するものは、所謂「過去帳」として存在するが、この過去帳は、今日では、主に、故人の名前や命日等の年月日を記録しておくものであり、主に仏事に関する用具であって、日常的に手軽に用いるような装丁を有するものでない。
【０００４】
従って、例えば、家族の誕生日、入学又は卒業記念日、さらには結婚記念日等のように、永続的に記録しておくべき家族の出来事を追記的に記録し、その記録内容をいつでも手軽に見ることができる記録形態としては、適当なものが存在しないのが現状であった。
【０００５】
そこで、家族の日常的な記念日等を記録する用具に関して、下記の特許文献１を参照する。この文献の「メモリアルカレンダー」は、１年間に限定されず、数年間にわたって記念写真等を貼り付けて楽しむことができるメモリアルカレンダーに関するものである。
【０００６】
その構造は、表紙と、１月から１２月までの各月毎の用紙と、全体を保持する台紙とから構成され、各月毎の用紙は、当月度の月名の表示印刷と、記念写真貼り付け領域と、日付け等表示領域とからなり、各用紙と台紙は綴り穴を天部に沿って１列に有し、綴り部材によってめくり返し可能に構成されたものである。
【先行技術文献】
【特許文献】
【０００７】
【特許文献１】特開２００７−３２６３１９号公報
【考案の概要】
【考案が解決しようとする課題】
【０００８】
上記のメモリアルカレンダーは、各用紙に貼り付けた写真等で出来事を記録するものであり、文字によって記録をするようにした形態のものではない。また、１月から１２月までの各月毎の用紙を用いたことによって、これを数年間にわたって使用することができるようにしたものであるが、日毎に整理されたものではないため、日毎にめくることによって、その日に該当する過去に何が起きたかを一目瞭然に確認することは不可能である。
【０００９】
さらに、その台紙は、壁に沿って吊り下げておくような面形状のカレンダーであるため、机上や棚上に設置し、手軽に手にとって、追記的に記載をすることを可能とした構造のものではない。
【００１０】
本考案は、上記の事情に鑑みてなされたものであり、机や棚等の身近な場所に設置することにより、手にとって、過去の記録を整理して追記的且つ永続的に記録することができ、日毎にめくることによって、その日に該当する過去の出来事を目視で確認することができるようにした追記型日めくりメモリを提供することを目的とする。
【課題を解決するための手段】
【００１１】
上記の課題を解決するために、本考案の請求項１の追記型日めくりメモリは、台紙と表紙と複数の記録ページとを有し、台紙は中折れ自在に形成した底面部を介して前面部と後面部とを折曲げ自在に形成すると共に、台紙と表紙と各記録ページの上辺に沿って形成した複数の穴部に綴り部材を装着し、台紙の底面部の中折れ形状を展開することによって台紙を立設した状態にして傾斜した前面部と後面部のいずれかの面上に表紙と記録ページを支持すると共に、各記録ページをめくることによって任意の記録ページを表示することができ、各記録ページの表面と裏面とには、少なくとも１日から３１日までの日付けを示す連続数字と、既成の任意の出来事を日別に印刷する欄と、使用者が任意に記録を追記する欄とを設け、立設した台紙の前面部側の記録ページと後面部側の記録ページとを前後に反転して表示することを可能としたことを特徴とする。
【考案の効果】
【００１２】
本考案の追記型日めくりメモリは、保管する場合、台紙の底面部の中折れ線を下方に引っ張って潰した薄型形状にすることができ、使用する場合には、台紙の底面部の中折れ線を上方に押し上げた後、台紙の底面部の中折れ形状を平状に展開することによって台紙を立設した状態にすることができ、机や棚の上に手軽に設置することが可能である。
【００１３】
また、上記のように台紙を立設した状態にすると、台紙の傾斜した前面部と後面部のいずれかの面上に表紙と記録ページとが支持された状態で表示され、各記録ページを日毎にめくることによって、その日に該当する過去の記録を一目で確認することが可能となる。
【００１４】
また、記録ページをめくっただけで、数日後の出来事を容易に確認することができるため、誕生日等の準備の必要な出来事を事前に知ることによって、余裕を持ってその準備に当たることが可能となる。
【００１５】
また、各記録ページに既成の任意の出来事を日別に印刷した内容のほかに、なんらかの新しい内容を追記する場合は、台紙の底面部を潰した状態に折り畳むことによって各記録ページを略平状にすることができ、容易に、記録ページの追記欄に手書きのペン等で書き込むことが可能となる。従って、本考案の追記型日めくりメモリを使用すれば、過去の記録を日毎に整理して追記的且つ永続的に記録することが可能となる。
【００１６】
さらに、記録ページの表面と裏面とを利用して記録内容を印刷し、又は追記事項を書き込むことにより、立設した台紙の前面部側の記録ページと後面部側の記録ページとを前後に反転して表示することが可能となり、印刷ページの用紙が１６枚ですむため、本考案の追記型日めくりメモリを薄形であって低コストに作成することが可能となる。
【図面の簡単な説明】
【００１７】
【図１】（ａ）は本考案の実施例の追記型日めくりメモリを斜め前方から見た斜視図であり、(ｂ)は表紙をめくっている状態を示す斜視図であり、(ｃ)は第１日目の日付を付した記録ページの表示状態を示す斜視図である。
【図２】（ａ）は本考案の実施例の追記型日めくりメモリの台紙の展開図であり、(ｂ)は表紙の平面図であり、(ｃ)は綴り部材の平面図であり、(ｄ)は第１日目の日付を付した記録ページの平面図である。
【図３】（ａ）は本実施例の追記型日めくりメモリの台紙の底面部を下方へ引くように折り曲げた状態を示す斜視図、(ｂ)は本考案の実施例の追記型日めくりメモリの台紙の底面部を上方へ押上げるように折り曲げた状態を示す斜視図、(ｃ)は台紙の底面部を平状に展開して立設可能とした状態を示す斜視図である。
【図４】本考案の実施例の追記型日めくりメモリの側面図であり、（ａ）は台紙を略平状につぶした状態を示し、(ｂ)は台紙の底面部を上方へ押上げた状態を示し、(ｃ)は台紙の底面部を下方へ引き下げて展開することにより立設可能とした状態を示す。
【図５】（ａ）は本考案の実施例の追記型日めくりメモリの第１６日目の日付を付した記録ページを表示した斜視図であり、(ｂ)は（ａ）の前後を反転して第１７日目の日付を付した記録ページを表示した斜視図である。
【考案を実施するための形態】
【００１８】
以下、本考案の実施例について図面を参照しながら説明する。
【実施例】
【００１９】
本考案の追記型日めくりメモリ１は、図１に示すように、台紙２と表紙３と複数の記録ページ４とを有し、台紙２は中折れ自在に形成した底面部５を介して前面部２ａと後面部２ｂ（図２（ａ）参照）とを折曲げ自在に形成すると共に、台紙２と表紙３と各記録ページ４の上辺に沿って形成した複数の穴部６（図２（ａ）参照）に綴り部材７を装着したものである。
【００２０】
このような構成について詳細に述べると、図２（ａ）に示すように、台紙２は一枚の厚紙等で形成し、矩形の底面部５における前後幅の中間に設けた中折れ線５ｃを介して中折れ自在に形成すると共に、底面部５の前後方向の両側に折曲線５ａ、５ｂを介して同形の長方形状の前面部２ａと後面部２ｂとを形成したものである。これらの前面部２ａと後面部２ｂの両端に沿って複数の穴部６ａが形成され、この穴部６ａに、図２(ｃ)に示すような複数のリング形状を連結してなる綴り部材７を装着するようにしている。
【００２１】
また、図２(ｂ)に示す表紙３は厚紙等で形成され、上記の台紙２の前面部２ａまたは後面部２ｂと略同形の長方形状に形成され、その表面には、図示のように、本実施例の追記型日めくりメモリ１の表題を記した任意の文字や図柄等を描くものとしている。
【００２２】
さらに、この表紙３の一端に沿って、上記の台紙２に形成した穴部６ａと同様の穴部６ｂが形成され、図１（ａ）に示すように、綴り部材７を台紙２の穴部６ａと共に表紙３の穴部６ｂに装着することによって、図１(ｂ)に示すように、綴り部材７を介して表紙３をめくり返すことができるようにしている。
【００２３】
さらに、図２(ｄ)に示すように、各記録ページ４の表面と裏面とには、少なくとも１日から３１日までの日付けを示す連続数字と、既成の任意の出来事を日別に印刷する欄と、使用者が任意に記録を追記する欄とが設けられている。この記録ページ４もまた、一端に沿って、上記の台紙２に形成した穴部６ａと同様の穴部６ｃが形成され、図１（ｃ）に示すように、綴り部材７を台紙２の穴部６ａと共に各記録ページ４の穴部６ｃに装着することによって、綴り部材７を介して各記録ページ４をめくり返すことができるようにしている。
【００２４】
さらに、上記の記録ページ４について詳細に述べると、例えば、図２(ｄ)に示す記録ページ４は、その上部中央に、第１日目の日付けを示す連続数字８として、「１」の文字を記してあり、その下部には、既成の任意の出来事を日別に印刷する欄を設けている。
【００２５】
この既成の任意の出来事を日別に印刷する欄（以下、既成記録欄４ａという）の内容としては、記録ページ４の紙面の広さに限度があるため、例えば、国の記念日や地方の記念日、或いは特定の会社や団体等の記念日等の中でも記録すべき重要な事柄を選び、その出来事を日毎に整理して、該当する日の記録ページ４に印刷をしておくとよい。
【００２６】
さらに、各記録ページ４の下部には、この追記型日めくりメモリ１の使用者が任意に記録を追記する欄（以下、追記欄４ｂという）を設けている。その記録の内容としては、家族の誕生日、入学記念日、卒業記念日、結婚記念日、命日等のほか、家族や個人や団体等の記録すべき重要な記念日等を日毎に分けて、その該当する日の記録ページ４の追記欄４ｂに手書きのペン等で記載するとよい。
【００２７】
本実施例の追記型日めくりメモリ１は、上記のように構成されているため、追記型日めくりメモリ１を保管したりする場合、図３（ａ）又は図４（ａ）に示すように、台紙２の底面部５の中折れ線５ｃを下方に引っ張って潰した薄型形状にするのが好ましい。また、この追記型日めくりメモリ１を使用する場合には、図３(ｂ)又は図４(ｂ)に示すように、台紙２の底面部５の中折れ線５ｃを上方に押し上げた後、図３(ｃ)又は図４(ｃ)に示すように、台紙２の底面部５の中折れ形状を平状に展開することによって台紙２を立設した状態にすることができる。
【００２８】
また、このように台紙２を立設した状態にすると、台紙２の傾斜した前面部２ａと後面部２ｂのいずれかの面上に表紙３と記録ページ４とが支持された状態で表示され、各記録ページ４をめくることによって任意の記録ページ４を表示することが可能となる。
【００２９】
本実施例の追記型日めくりメモリ１の使用方法としては、机や棚等の上面に、上記のように台紙２を立設することによって日毎に記録ページ４を表示することができ、各記録ページ４を日毎にめくることによって、その日に該当する過去の出来事を一目で確認することが可能となる。
【００３０】
また、記録ページ４をめくっただけで、数日後の出来事を容易に確認することができるため、誕生日等の準備の必要な出来事を事前に知ることによって、余裕を持ってその準備に当たることが可能となる。
【００３１】
さらに、なんらかの新しい内容を追記したい場合は、図４（ａ）に示すように、台紙２の底面部５を折り畳むことによって各記録ページ４を略平状にすることができ、記録ページ４の追記欄４ｂ（図２（ｄ）参照）に手書きのペン等で書き込むことによって、後日その記録ページ４をめくっただけで、追記した内容を知ることが可能となる。
【００３２】
また、本実施例の記録ページ４を第１ページの表面に第１日目の表示「１」を印刷し、その裏面をこの追記型日めくりメモリ１の使用方法を記したページとし、その第１ページをめくった次のページの表面に第２日目の表示「２」を表示する。そして、順次めくる毎に「３」、「４」・・・というように表示すると共に、記録ページ４の裏面にも印刷を施した場合、全部で１６枚の記録ページ４で、第１日目の表示「１」から第３１日目の表示「３１」までを表示することが可能となる。
【００３３】
このような記録ページ４の印刷内容にした場合、一日毎に記録ページ４をめくっていくと、図５（ａ）に示すように、第１６日目の表示「１６」が最後のページとなり、次の日は、台紙２の前後を反転することによって、図５(ｂ)に示すように、第１７日目の表示「１７」が表側に表示されることになる。
【００３４】
従って、第１日目の表示「１」から第３１日目の表示「３１」までを表示するために、記録ページ４の表面と裏面とを印刷に使用した場合、印刷ページの用紙が１６枚ですみ、本実施例の追記型日めくりメモリ１を薄形であって低コストに作成することが可能となる。
【産業上の利用可能性】
【００３５】
本考案の追記型日めくりメモリは、机や棚等の身近な場所に設置することにより、手にとって、過去の記録を整理して追記的且つ永続的に記録することができ、日毎にめくることによって、その日に該当する過去の出来事を目視で確認することができるようにした追記型日めくりメモリとして利用可能である。
【符号の説明】
【００３６】
１  追記型日めくりメモリ
２  台紙
２ａ  前面部
２ｂ  後面部
３  表紙
４  記録ページ
４ａ  既成記録欄
４ｂ  追記欄
５  底面部
５ｃ  中折れ線
５ａ、５ｂ  折曲線
６ａ、６ｂ、６ｃ  穴部
７  綴り部材
８  日付けを示す連続数字
【図１】
0003172420.tif 000003
【図２】
0003172420.tif 000004
【図３】
0003172420.tif 000005
【図４】
0003172420.tif 000006
【図５】
0003172420.tif 000007